(57)【要約】【課題】回路遮断器のハンドル操作禁止を促すものであって、回路遮断器本体の内部に設けられるため別部品を必要とせず、又、回路遮断器作動時には動作状態の確認が可能なハンドルカバー装置を提供する。【解決手段】上記した課題を解決するためになされた本発明のハンドルカバー装置は、回路遮断器の上面内部に配置されるハンドルカバー装置であって、ハンドルカバー装置は回路遮断器に設けられた嵌合部に嵌め込み可能とした突起部を設けたスライド板と、スライド板に一端を固定し他端を回路遮断器に固定した伸縮部材とからなり、伸縮部材によってスライド板は回路遮断器本体内部に保持可能とした。【選択図】図３
2009205823.tif 000002
【特許請求の範囲】
【請求項１】
回路遮断器の上面内部に配置されるハンドルカバー装置であって、該ハンドルカバー装置は前記回路遮断器に設けられた嵌合部に嵌め込み可能とした突起部を設けたスライド板と、該スライド板に一端を固定し他端を前記回路遮断器に固定した伸縮部材とからなり、該伸縮部材によって前記スライド板は前記回路遮断器本体内部に保持可能となることを特徴とするハンドルカバー装置。
【発明の詳細な説明】
【技術分野】
【０００１】
本発明は、ハンドルカバー装置に関するものである。
【背景技術】
【０００２】
従来、回路遮断器においてハンドル操作の禁止を促す場合には、回路遮断器本体とは別にハンドルロック装置を用意して取り付けていた。
【０００３】
そのため、回路遮断器本体とは別にハンドルロック用の部品が必要となるため、早急に必要な場合に手元にないと不便であり、部品として小さいため紛失の恐れがある。
【０００４】
この改善策として特許文献１に記載されているような、回路遮断器の操作ハンドル内にロックプレートを設け、オン又はオフに操作したときにロックプレートを引き出し、操作ハンドルの開口部周縁に形成された溝に係合することで操作ハンドルをロックし、又、ロックプレートにはロック孔が設けられており、ロック孔に南京錠を取り付け可能としたハンドルロック装置を用いることが考えられる。
【０００５】
又、特許文献２に記載されている発明のように、ハンドルの回動側正面部に貫通孔を設け、貫通孔の略下端部にロックレバーを軸支し、ロックレバーの先端部には係合部を設けると共に、支軸を中心にオン・オフ位置の双方に回動可能とし、ハンドルをロックする場合には、ロックレバーを回動させ蓋体の係合部とロックレバーの先端部の係合部とを互いに係合させて固定し、ロックしない場合には、ロックレバーをハンドルの貫通孔の内部に収納し、ハンドル内に設けた係合部とロックレバーの先端部の係合部とを互いに係合させて固定するハンドルロック装置を用いることが考えられる。
【特許文献１】特開２０００−４８６８５
【特許文献２】実開平０６−６００４５
【発明の開示】
【発明が解決しようとする課題】
【０００６】
しかしながら、特許文献１に記載の発明では、南京錠等の別部品によってロックプレートを固定しなければロック状態が不安定であるという欠点がある。
【０００７】
又、ハンドルが固定されているため回路遮断器が作動してもハンドルの位置が変わらず、外部からの確認ができないという欠点がある。
【０００８】
又、特許文献２に記載の発明でも、ハンドルが固定されているため回路遮断器が作動してもハンドルの位置が変わらず、外部からの確認ができないという欠点がある。
【０００９】
このため、本発明によって解決しようとする課題は、回路遮断器のハンドル操作禁止を促すものであって、回路遮断器本体の内部に設けられるため別部品を必要とせず、且つ、回路遮断器作動時には動作状態の確認が可能なハンドルカバー装置を提供することにある。
【課題を解決するための手段】
【００１０】
上記した課題を解決するためになされた本発明のハンドルカバー装置は、回路遮断器の上面内部に配置されるハンドルカバー装置であって、このハンドルカバー装置は回路遮断器に設けられた嵌合部に嵌め込み可能とした突起部を設けたスライド板と、スライド板に一端を固定し他端を回路遮断器に固定した伸縮部材とからなり、伸縮部材によってスライド板を回路遮断器本体内部に保持可能としたものである。
【発明の効果】
【００１１】
本発明のハンドルカバー装置によれば、回路遮断器のハンドル操作禁止を促すことが可能である。
【００１２】
又、回路遮断器とは別に部品を用意する必要がないため、使用する際に探す手間を必要とせず、紛失の恐れもない。
【００１３】
又、回路遮断器が作動した際には回動したハンドルによってスライド板が押されて突起部が嵌合部より外れ、伸縮部材によって引っ張られて回路遮断器内部に保持されるため外部からの確認が可能である。
【発明を実施するための最良の形態】
【００１４】
本発明では、回路遮断器に設けられるハンドルカバー装置を簡単な構造で可能にした。
【実施例１】
【００１５】
以下、本発明の実施の形態を説明する。
回路遮断器１、１１、２１、３１の上面内部に配置されるハンドルカバー装置であって、このハンドルカバー装置は回路遮断器１、１１、２１、３１に設けられた嵌合部３、１３、２３、３３に嵌め込み可能とした突起部４、１４、２４、３４を設けたスライド板２、１２、２２、３２と、スライド板２、１２、２２、３２に一端を固定し他端を回路遮断器１、１１、２１、３１に固定したバネ１５、２５とからなり、バネ１５、２５によってスライド板２、１２、２２、３２を回路遮断器１、１１、２１、３１本体内部に保持可能とすることで、必要となる場合にのみスライド板２、１２、２２、３２を引っ張り出してハンドル６、１６、２６、３６操作禁止を促すことができ、又、別部品を用意する必要がないため紛失の恐れをなくすことができる。
【実施例２】
【００１６】
回路遮断器４１の上面内部に配置されるハンドルカバー装置であって、このハンドルカバー装置は回路遮断器４１の内側に設けられた嵌合部４４に嵌め込み可能とした突起部４３を底面の引き出し方向に設けたスライド板４２と、スライド板４２に一端を固定し他端を回路遮断器４１に固定したバネとからなり、バネによってスライド板４２を回路遮断器４１本体内部に保持可能とすることで、必要となる場合にのみスライド板４２を引っ張り出してハンドル４６操作禁止を促すことができ、又、別部品を用意する必要がないため紛失の恐れをなくすことができる。又、回路遮断器４１本体よりも外側に突出した部分を設けないため、引っ掛かりなどによってスライド板４２が回路遮断器４１本体内部に戻るのを防ぐことができる。
【００１７】
以上のように、本発明のハンドルカバー構造は、回路遮断器においてハンドルの操作禁止を促すものであって、別部品を必要とせず、且つ、動作状態の確認が可能なハンドルカバー装置を簡単な構造で提供できるものである。
【図面の簡単な説明】
【００１８】
【図１】本発明の実施例１における、ハンドルカバー装置の斜視図である。
【図２】本発明の実施例１における、ハンドルカバー装置の通常状態の側面断面図である。
【図３】本発明の実施例１における、ハンドルカバー装置のハンドルロック状態の固定部の側面断面図である。
【図４】本発明の実施例１における、図３のＡの部分拡大図である。
【図５】本発明の実施例２における、ハンドルカバー装置の要部拡大断面図である。
【図６】特許文献１に記載のハンドルカバーの上面斜視図である。
【図７】特許文献２に記載のハンドルカバーの断面図である。
【符号の説明】
【００１９】
１、１１、２１、３１、４１    回路遮断器
２、１２、２２、３２、４２    スライド板
３、１３、２３、３３、４３    嵌合部
４、１４、２４、３４、４４    突起部
１５、２５    バネ
６、１６、２６、３６、４６    ハンドル
【図１】
2009205823.tif 000003
【図２】
2009205823.tif 000004
【図３】
2009205823.tif 000005
【図４】
2009205823.tif 000006
【図５】
2009205823.tif 000007
【図６】
2009205823.tif 000008
【図７】
2009205823.tif 000009